(57)【要約】【課題】別途暗室を用意する必要がなく、短時間で誤差のない正確な測定が可能なムラ検出装置及び当該装置を用いたムラ補正システムを提供すること。【解決手段】本発明は、モニタのパネルに表示される映像のムラを検出するためのムラ検出装置であって、開口部を有する筐体と、前記モニタを隙間なく取り付け可能に構成された取り付け口を有し、且つ前記筐体の前記開口部に隙間なく取り付け可能に構成されたモニタ取り付け枠と、前記開口部に前記モニタ取り付け枠を取り付け、前記モニタを前記モニタ取り付け部に取り付けた場合に、前記モニタのパネルに対向するように前記筐体内に設けられた複数の受光センサーを含むセンサー部と、前記センサー部の各受光センサーにおける測定値について、所定の基準値との差が所定の閾値を超えているか否かを判定する通信・制御部と、を備えることを特徴とする。【選択図】図３
2019124467.tif 000002
【特許請求の範囲】
【請求項１】
モニタのパネルに表示される映像のムラを検出するためのムラ検出装置であって、
開口部を有する筐体と、
前記モニタを隙間なく取り付け可能に構成された取り付け口を有し、且つ前記筐体の前記開口部に隙間なく取り付け可能に構成されたモニタ取り付け枠と、
前記開口部に前記モニタ取り付け枠を取り付け、前記モニタを前記モニタ取り付け部に取り付けた場合に、前記モニタのパネルに対向するように前記筐体内に設けられた複数の受光センサーを含むセンサー部と、
通信・制御部と、を備え、
前記通信・制御部は、前記センサー部の各受光センサーにおける測定値について、所定の基準値との差が所定の閾値を超えているか否かを判定することを特徴とするムラ検出装置。
【請求項２】
前記センサー部は、前記開口部に前記モニタ取り付け枠を取り付け、前記モニタを前記モニタ取り付け枠に取り付けた場合において、前記センサー部の各受光センサーに前記モニタのパネルからの光がそれぞれ概垂直に入射するように配置されていることを特徴とする請求項１に記載のムラ検出装置。
【請求項３】
前記複数の受光センサーは、格子状に配列されていることを特徴とする請求項１又は２に記載のムラ検出装置。
【請求項４】
前記受光センサーは、輝度センサー又は色検知センサーであることを特徴とする請求項１乃至３のいずれかに記載のムラ検出装置。
【請求項５】
請求項１乃至４の何れかに記載のムラ検出装置を用いたムラ補正システムであって、
前記通信・制御部は、前記センサー部の各受光センサーのいずれかの測定値が前記所定の閾値を超えたと判定された場合、当該閾値を超えた測定値を出力した受光センサーにおける前記パネルの測定領域についての補正値であって、前記センサー部の各受光センサーにおける測定値が前記所定の基準値となるような補正値を含む補正値信号を前記モニタに出力することを特徴とするムラ補正システム。
【発明の詳細な説明】
【技術分野】
【０００１】
本発明は、放送用モニタのムラ検出装置及び当該装置を用いたムラ補正システムに関する。
【背景技術】
【０００２】
現在、世の中で使われている放送用モニタ（以下、モニタとする。）は、そのパネルでのピクセルの位置ごとの発光特性が異なるため、同じ色あるいは強さの映像信号を入力したとしても、パネル全体にわたってまったく同じように発光するとは限らない。また、発光特性の違いは、パネル上の位置だけでなく、パネルの一つ一つによっても異なる。そのため、各メーカーは、モニタを製造する工程において、パネルのピクセルの位置または特定のエリアごとの発光具合を均一にするために、ムラ補正という機能を実行する。したがって、ムラ補正の結果は、すべてのパネルごとに異なるものになり得る。
【０００３】
このムラ補正方法は、モニタに均一な明るさおよび色の入力映像データを入力し、モニタのパネル一面にその映像を出力させ、その出力映像の輝度を暗室内で色彩輝度計や専用のカメラなどの測定装置を用いて測定し（例えば特許文献１及び２参照）、ムラがある箇所の輝度が周囲の輝度と均一になるような補正データを生成して、モニタにその補正データを反映させる処理を実行する。それにより、モニタは、パネルの各ピクセルまたはエリアに補正データに基づく補正信号を加える。
【０００４】
図１は、色彩輝度計を用いた従来のムラ検出方法の一例を示す。図１に示すムラ補正方法では、暗室内で、均一な明るさおよび色の入力映像データに基づく出力映像をモニタ１のパネル一面に表示させ、色彩輝度計２のプローブ２ａを測定者が手に持ってモニタ１のパネル付近に十数ｃｍ近くまで近づけ、プローブ２ａの位置を変えながらパネル全体に表示されたその出力映像の輝度を測定し、その輝度分布からムラを検出する。
【０００５】
図２は、カメラを用いた従来のムラ検出方法の一例を示す。図２に示すムラ補正方法では、暗室内で、均一な明るさおよび色の入力映像データに基づく出力映像をモニタ１のパネル一面に表示させ、カメラ３によりパネル全体の輝度を測定することにより、その輝度分布からムラを検出する。
【先行技術文献】
【特許文献】
【０００６】
【特許文献１】特開２００９−２６０７３１号公報
【特許文献２】特開２０１６−００４０３７号公報
【発明の概要】
【発明が解決しようとする課題】
【０００７】
しかしながら、上述したような従来のムラ検出方法は、以下の問題がある。
【０００８】
（１）まず、上述した従来のムラ検出方法は完全な暗室内で行わなければならないため、暗室専用のスペースや設備が必要になる。
【０００９】
（２）色彩輝度計を用いた従来のムラ検出方法の場合、プローブ２ａを測定者が手に持ってモニタ１のパネル付近に十数ｃｍ近くまで近づけるため、一度に測定可能な範囲が限定されてしまう。したがって、全体を測定するためにはプローブ２ａの位置を変えて何回も測定を繰り返す必要があるとともに、プローブ２ａによる測定位置や角度を手動で合わせる必要がある。そのため、測定ごとに違った結果になる可能性があるだけでなく、パネル１枚当たりの測定に時間がかかるという問題があった。
【００１０】
（３）専用カメラを用いた従来のムラ検出方法の場合、カメラ３の視点をモニタ１のパネルの中心に固定するために、測定者がカメラ３をＸＹＺの３方向に手動で平行移動させるとともに、３方向に回転させなければならないため、測定ごとに測定結果に誤差が生じるという問題があった。また、カメラ３をモニタ１に近づけすぎるとカメラ３に入る光が垂直にならずにモニタ１のパネルの中心と端とで光の量が変わるため正確な測定ができず、カメラ３をモニタ１から遠ざけすぎると光の量が弱くなるため測定時間を増やさなければならない。そのため、また位置調整に非常に時間がかかることから、パネル１枚当たりの測定に時間がかかるという問題があった。
【００１１】
本発明は、上記課題を鑑みてなされたものであり、測定のために別途暗室を用意する必要がなく、簡便な方法により誤差のない正確な測定を短時間で行うことが可能なムラ検出装置及び当該装置を用いたムラ補正システムを提供することを目的とする。
【課題を解決するための手段】
【００１２】
上記課題を解決するために、本発明の一実施形態に係るムラ検出装置は、モニタのパネルに表示される映像のムラを検出するためのムラ検出装置であって、開口部を有する筐体と、前記モニタを隙間なく取り付け可能に構成された取り付け口を有し、且つ前記筐体の前記開口部に隙間なく取り付け可能に構成されたモニタ取り付け枠と、前記開口部に前記モニタ取り付け枠を取り付け、前記モニタを前記モニタ取り付け部に取り付けた場合に、前記モニタのパネルに対向するように前記筐体内に設けられた複数の受光センサーを含むセンサー部と、通信・制御部と、を備え、前記通信・制御部は、前記センサー部の各受光センサーにおける測定値について、所定の基準値との差が所定の閾値を超えているか否かを判定することを特徴とする。
【００１３】
本発明の一実施形態に係るムラ補正システムは、請求項１乃至４の何れかに記載のムラ検出装置を用いたムラ補正システムであって、前記通信・制御部は、前記センサー部の各受光センサーのいずれかの測定値が前記所定の閾値を超えたと判定された場合、当該閾値を超えた測定値を出力した受光センサーにおける前記パネルの測定領域についての補正値であって、前記センサー部の各受光センサーにおける測定値が前記所定の基準値となるような補正値を含む補正値信号を前記モニタに出力することを特徴とする。
【発明の効果】
【００１４】
本発明によると、モニタをモニタ取り付け枠に取り付けるだけでモニタの位置固定が完了するため、モニタの位置調整の時間を削減することができるとともに、手動誤差を無くすことができるため、正確性を向上させることができる。また、装置内部は完全に遮光されていることから装置内を完全な暗室状態にでき、当該完全な暗室状態の装置内で測定を行うことができるため、測定のために別途暗室を用意する必要もなく、取り付けたその場で検査をすることができ、モニタのムラ検出ないしはムラ補正を行うのに必要な時間とコストを削減することが可能となる。
【図面の簡単な説明】
【００１５】
【図１】色彩輝度計を用いた従来のムラ検出方法の一例を示す図である。
【図２】カメラを用いた従来のムラ検出方法の一例を示す図である。
【図３】本発明の実施例に係るムラ検出装置を例示する図である。
【図４】本発明の実施例に係るムラ検出装置において、モニタのパネルサイズごとに異なる大きさの取り付け口を有するモニタ取り付け枠を示す図である。
【図５】本発明の実施例に係るムラ検出装置におけるセンサー部の構成を例示する図である。
【図６】本発明の実施例に係るムラ検出装置におけるムラ検出方法を例示するフロー図である。
【図７】本発明の実施例に係るムラ検出装置において、センサー部の中で使用する受光センサーの決定方法を例示する図である。
【発明を実施するための形態】
【００１６】
（実施例）
図３を用いて本発明の実施例に係るムラ検出装置を説明する。図３（ａ）は本発明の実施例に係るムラ検出装置の断面図であり、図３（ｂ）は本発明の実施例に係るムラ検出装置の斜視図である。図３（ａ）及び図３（ｂ）には、筐体１０１と、筐体１０１に取り付け／取り外し可能であり、モニタ１５０を取り付け／取り外し可能に構成されたモニタ取り付け枠１０２と、複数の受光センサー１０３1,1乃至１０３n,mを有するセンサー部１０３と、通信・制御部１０４と、を備えたムラ検出装置が示されている。
【００１７】
図３（ｃ）は本発明の実施例に係るムラ検出装置において、筐体１０１からモニタ取り付け枠１０２を取り外し、モニタ取り付け枠１０２からモニタ１５０を取り外した状態を示す図である。図３（ｃ）に示すように、筐体１０１は開口部１０１ａを有し、モニタ取り付け枠１０２はモニタ１５０を隙間なく取り付け可能に構成された取り付け口１０２ａを有する。筐体１０１の開口部１０１ａ及びモニタ取り付け枠１０２は、モニタ取り付け枠１０２を筐体１０１の開口部１０１ａに隙間なく取り付け可能に構成されている。
【００１８】
筐体１０１の開口部１０１ａの最奥部にはセンサー部１０３が設けられており、開口部１０１ａにモニタ取り付け枠１０２を隙間なく取り付け、モニタ取り付け枠１０２にモニタ１５０を隙間なく取り付けることにより、図３（ａ）に示すように、筐体１０１、モニタ取り付け枠１０２、センサー部１０３及びモニタ１５０で仕切られる空間によって、外乱光が入射しない完全な暗室状態である暗室空間１１０が構成される。
【００１９】
また、開口部１０１ａにモニタ取り付け枠１０２を取り付け、モニタ取り付け枠１０２にモニタ１５０を取り付けた状態において、センサー部１０３は、センサー部１０３の各受光センサーにモニタ１５０のパネルからの光がそれぞれ垂直に入射するようにモニタに近接して配置されている。センサー部１０３における各受光センサーの個数にもよるが、モニタ取り付け枠１０２とセンサー部１０３との間の距離は、例えば、３ｃｍ程度とすることができる。なお、センサー部１０３は、パネルからの光が厳密に垂直に入射されるように配置されていなくてもよい。受光センサーの特性によるが、パネルからの光が９０°から例えば±０．２°〜０．３°程度傾いた状態でセンサー部１０３に入射しても許容可能である。
【００２０】
筐体１０１は、センサー部１０３及び通信・制御部１０４を収容している。筐体１０１は、生産ラインで最大のサイズのモニタをそのまま収納可能な大きさで構成することが好ましい。筐体１０１は、例えば、８０ｃｍ×５５ｃｍ×３０ｃｍ程度の大きさとすることができる。
【００２１】
モニタ取り付け枠１０２は、例えば、モニタ１５０のパネルを開口部１０１ａ側に向けてモニタ１５０を取り付け口１０２ａに嵌め込むことにより、モニタ１５の中心がセンサー部１０３の中心に位置づけられるようにモニタ１５０の位置を固定することができる。
【００２２】
図４は、モニタのパネルサイズごとに異なる大きさの取り付け口を有するモニタ取り付け枠を示す図である。モニタ１５０のサイズは、対角線の寸法が例えば１７インチ、２４インチ、３１インチのように予め定められているため、図４に示すように、モニタ１５０のサイズごとにモニタ１５０を隙間なく取り付け可能なモニタ取り付け枠１０２を用意することにより、モニタ１５０のサイズに適合するサイズのものを使用することが可能となる。
【００２３】
各受光センサー１０３1,1乃至１０３n,mにはモニタ１５０のパネルにおいてそれぞれ異なる測定領域が割り当てられており、全受光センサー１０３1,1乃至１０３n,mによりパネル全面を測定範囲としている。センサー部１０３とモニタ１５０とが近接するように構成されていることからセンサー部１０３の受光センサー１０３1,1乃至１０３n,mにはモニタ１５０のパネルからの光がそれぞれ垂直に入射するため、モニタ１５０のそれぞれのピクセル位置に最も近い受光センサーの測定値を用いることで正確な測定が可能である。センサー部１０３の受光センサーは、例えば、輝度センサー又は色検知センサーとすることができる。
【００２４】
図５は、本発明の実施例に係るムラ検出装置におけるセンサー部１０３の構成を例示する。図５に示すように、センサー部１０３は、例えば、複数の受光センサー１０３1,1乃至１０３n,mを格子状に配列した構成とすることができる。センサー部１０３は、例えば、横方向に３２個、縦方向に１８個の受光センサー１０３1,1乃至１０３n,mで構成することができる。
【００２５】
図３（ｄ）は、本発明の実施例に係るムラ検出装置のシステム構成を示す。図３（ｄ）に示すように、通信・制御部１０４は、例えば、本実施例に係る演算処理やその他の演算処理を行うＣＰＵと、ＣＰＵのプログラムを格納・実行するためのメモリと、ＰＣなどの外部装置との通信、センサー部１０３からの測定値の受信、補正信号を送信することによるモニタ１５０の制御を行うための信号の送受信を行う通信インターフェイスと、を実装することができる。通信・制御部１０４は、ＰＣなどの外部装置を介して補正信号をモニタ１５０に送信したり、ＰＣなどの外部装置に例えば検出結果及び補正結果等を表示させることができる。
【００２６】
モニタ１５０は、特に限定はされないが、外部から制御可能で測定用のテスト映像を表示可能なものであり、送信されてきた補正値信号を適用して補正を行うムラ補正処理部を搭載しているものとすることができる。
【００２７】
図６は、本発明の実施例に係るムラ検出装置におけるムラ検出方法を例示する。図６に示す各ステップは、通信・制御部１０４によって実行されるものとし、センサー部１０３は横方向にｎ個、縦方向にｍ個の受光センサー１０３1,1乃至１０３n,mで構成されているものとする。
【００２８】
ステップＳ６０１で、モニタ１５０に対して測定用のテスト映像をパネルに表示させるためのテスト映像表示信号を送信する。このテスト映像は、例えば、輝度を測定する場合は全画素同じ信号レベルで白一色をパネル全体に出力させ、色を測定する場合は同じ信号レベルの赤、緑、青をそれぞれパネル全体に出力させることができる。テスト映像がモニタ１５０のパネルに表示された後、センサー部１０３による測定が開始される。
【００２９】
ステップＳ６０２で、センサー部１０３の各受光センサー１０３1,1乃至１０３n,mから測定値を取得し、メモリに保持する。測定パラメータとしては、例えば、照度、色、輝度等とすることができる。
【００３０】
ステップＳ６０３で、各受光センサー１０３1,1乃至１０３n,mにおける各測定値について、所定の基準値との差が所定の閾値を超えているか否かを判定する。ステップＳ６０３で用いる所定の基準値としては、受光センサー１０３1,1乃至１０３n,mの全測定データの平均値とすることができるが、これに限定されず、適宜設定可能である。ステップＳ６０３で、各測定値と基準値との差が所定の閾値を超えていると判定された場合には、ステップＳ６０４に進む。
【００３１】
ステップＳ６０４で、基準値との差が所定の閾値を超えた測定値を出力した受光センサーにおけるパネルの測定領域についての補正値であって、当該受光センサーの測定値が基準値となるような補正値を計算し、メモリに保持する。ステップＳ６０４では、例えば、基準値と測定値との差分の数値に対する測定パラメータの補正値を単位補正値として予め定めておき、基準値と実際の測定値との差分を単位補正値における差分の数値で割ることにより、その比率から補正値を算出してもよい。ただし、補正値の計算方法は、これに限定されず、用途等に応じて種々の方法を採用することができる。
【００３２】
ステップＳ６０５では、ステップＳ６０４で計算した補正値を含む補正値信号をモニタ１５０に送信して補正結果を反映させる。ステップＳ６０５において、モニタ１５０は当該補正値を画素単位や一定範囲の画素ごとに対して適用することができる。その後、ステップＳ６０２に戻り、ステップＳ６０２において再度測定が行われる。ステップＳ６０２乃至ステップＳ６０５のループは、ステップＳ６０３で、閾値を超える測定値が現れなくなるまで繰り返される。
【００３３】
ステップＳ６０３で、各測定値と基準値との差が全て所定の閾値を超えていないと判定された場合には、パネルの映像にムラがないと判定され、例えば上記の測定結果、補正結果、判定結果等を外部のＰＣに出力して終了する。外部のＰＣ等により、ムラ検出装置から送信されてきた結果を文字あるいはその他の手段で表示することが可能である。
【００３４】
ここで、センサー部１０３で測定を開始する前に、モニタ１５０のパネルの大きさに基づいて、センサー部１０３の受光センサー１０３1,1乃至１０３n,mのうち、使用する受光センサーを選択するステップを実行し、当該選択した受光センサーを用いて上記ステップＳ６０２乃至ステップＳ６０５を実行してもよい。これにより、センサー部１０３において使用する受光センサーを選択することで、サイズが異なるモニタでも測定が可能となる。
【００３５】
図７は、センサー部１０３の中で使用する受光センサーの決定方法を例示する図である。上述したようにモニタのサイズは対角線の寸法が例えば１７インチ、２４インチ、３１インチと予め定められているため、図７に示されるように、例えば２４インチ用や３１インチ用など、モニタのサイズ毎にセンサー部１０３の中で使用する受光センサーを予め決定しておいてもよい。
【００３６】
この場合、例えば、測定者が外部のＰＣ等を介してモニタのサイズに応じた受光センサーの選択入力を受けることによって、通信・制御部１０４は使用する受光センサーを選択してもよい。また、図４に示すようにモニタのサイズごとに異なる大きさの取り付け口を有するモニタ取り付け枠を用意し、モニタ取り付け枠１０２の取り付け口の大きさごとにセンサー部１０３の中で使用する受光センサーを予め決定し、モニタ取り付け枠１０２に当該予め決定した受光センサーを識別するための識別コードを付加して、取り付け枠１０２を筐体１０１に取り付ける際に自動的に読み取り部（不図示）によって識別コードを読み取ることにより、通信・制御部１０４は使用する受光センサーを自動的に選択してもよい。
【００３７】
本発明の実施例に係るムラ検出装置及び当該装置を用いたムラ補正システムによると、モニタをモニタ取り付け枠に取り付けるだけでモニタの位置固定が完了するため、モニタの位置調整の時間を削減することができるとともに、手動誤差を無くすことができるため、正確性を向上させることができる。また、ムラ検出装置内部は完全に遮光されていることから装置内を完全な暗室状態にでき、当該完全な暗室状態の装置内で測定を行うことができるため、測定のために別途暗室を用意する必要もなく、取り付けたその場で検査をすることができ、モニタのムラ検出及びムラ補正を行うのに必要な時間とコストを削減することが可能となる。
【図１】
2019124467.tif 000003
【図２】
2019124467.tif 000004
【図３】
2019124467.tif 000005
【図４】
2019124467.tif 000006
【図５】
2019124467.tif 000007
【図６】
2019124467.tif 000008
【図７】
2019124467.tif 000009